(57)【要約】本発明は形状指定装置及び製品の形状を指定する方法に関する。該当する種類の装置と見なされる形状指定装置は、製品の一つの型式の外観を表す少なくとも一つのデータ記録を保存する関連する製品型式メモリと、製品の一つの型式に関する複数の異なる製品デザインを表すデータを保存する関連する製品デザインメモリとを有するプロセッサと、製品の型式及び／または製品デザインを選択するための入力ユニットと、所定の、選択された製品の型式を選択された製品デザインでディスプレイするためのスクリーンとを備えた形状指定装置である。組み立てがより簡単で、選択した製品デザインを直接体験することが可能であり、選択可能な製品デザインのサンプルを認識するための認識手段が設けられ、前記認識手段が製品デザインを表す製品デザイン信号を検出し、それにより特定の製品デザインが製品デザインメモリから選択されるような形状指定装置が本発明により提供される。【特許請求の範囲】
【請求項１】
製品の一つの型式の外観を表す少なくとも一つのデータ記録を保存する関連する製品型式メモリと、製品の一つの型式に関する複数の異なる製品デザインを表すデータを保存する関連する製品デザインメモリとを有するプロセッサと、
製品の型式及び／または製品デザインを選択するための入力ユニットと、
所定のあるいは選択された製品の型式を選択された前記製品デザインでディスプレイするためのスクリーンとを備えた、製品の形状を指定するための形状指定装置であり、
選択可能な前記製品デザインのサンプルを認識するための認識手段を備え、前記認識手段が前記製品デザインを表す製品デザイン信号を検出し、それにより前記サンプルに対応する特定の製品デザインが前記製品デザインメモリから選択されることを特徴とする形状指定装置。
【請求項２】
前記認識手段が、前記サンプルに関連する送信ユニットの前記製品デザイン信号を受け取るようになされた受信機ユニットを備えたことを特徴とする請求項１に記載の形状指定装置。
【請求項３】
前記受信機ユニットが受信機プレートを備え、前記送信ユニットが前記受信機プレートにより供給されるエネルギを介して前記製品デザイン信号を送信するトランスポンダにより定義されることを特徴とする請求項１または２に記載の形状指定装置。
【請求項４】
前記送信ユニットがプログラムされるようになされたことを特徴とする請求項１から３のいずれか１項に記載の形状指定装置。
【請求項５】
前記プロセッサに関連し、種々の選択可能なデザイン要素を保存するデザイン要素メモリを備え、前記デザイン要素の各々が前記製品デザインメモリ内にある関連する種々のデザインを有する形状指定装置であって、前記サンプルが前記デザイン要素を表す関連する要素信号を有し、それにより特定のデザイン要素が前記デザイン要素メモリから選択されることを特徴とする請求項１から４のいずれか一つに記載の形状指定装置。
【請求項６】
製品の周知の型式をスクリーン上に表示し、少なくとも一つの製品デザインを選択し、並びに製品の表示された前記型式を選択された前記製品デザインで前記スクリーン上にディスプレイする工程を含む製品の形状を指定する方法であり、
前記製品デザインがプロセッサ内で処理された信号を介して決定され、前記信号が当該の前記製品デザインの選択された実際のサンプルに関連しており、前記サンプルから読み出されることを特徴とする方法。
【発明の詳細な説明】
【技術分野】
【０００１】
本発明は、製品の形状を指定するための形状指定装置に関する。
【背景技術】
【０００２】
キッチン用調度品や設備、衣類や自動車などの製品の中には、各顧客が望む通りに形状選択できるものがある。例えば、新しく自動車を購入する顧客は通常、まず製品の型式を決定する。即ち、それぞれのカーディーラーで型式とモデルを選択する。次に顧客はそのように決定した製品の形状を選択する。顧客は様々な製品デザインの中から自由に選択できる可能性がある。製品デザインという用語は、例えば提供されているエンジンの型式や技術的なオプションなどの技術的な特色を意味している。しかしながら本発明における製品デザインは、特に美的感覚に訴えるもの、即ち外装塗装仕上げ色や内装材の色、内装材の種類、トリムストリップの色、ケターの色、木材の種類や木製嵌め込みの木目などの製品デザインを指す。
【０００３】
著名な自動車メーカーでは最近、車両の形状指定を、顧客が使用可能な端末やＣＤ−ＲＯＭを用いてインターネットで行えるようになっている。企業の各ページで、購入を考える顧客はまず製品の型式、即ち自動車メーカーの特定のモデルを選択するよう要求される。次に、各顧客がメニューの案内に従って望みどおりに製品を指定していく。顧客は様々な選択エリアを案内されて、まず例えば望むエンジン、デザインパッケージを選択し、そして車両の色、内装材の種類などを選択しなければならない。このようなメニューガイダンスの場合、全ての分野が所定の順序に従って進められなければならない。最初に選択された製品の型式がスクリーン上に質問の形でディスプレイされ、それが選択される製品デザインに従って表示されるという、特定の製品デザインの選択に対する結果が示される。例えば、「外装塗装仕上げの色」という製品デザイン選択は、顧客が望み通りの色を選択した後で、スクリーンに関連するプロセッサにより実行され、スクリーン上にディスプレイされた製品の型式が望み通りの色で表示される。車輪のリムの選択や内装色の選択、そしておそらくは内装材の種類の選択などに対し同様に実行されることが想像できる。
【０００４】
車両の形状を指定する際、製品の型式をグラフィック描写するのに各自動車メーカーの技術部門から提供されたデータを用いることが多い。これらのデータにより、選択された製品の型式の三次元的画像を自由に表示することができる。したがって自動車の形状を選択している間、形状指定されているまさにその自動車についての思い通りのあらゆる三次元的表示がユーザに示されることがわかる。例えば、拡大された細部をズームすることができ、また形状指定される車両を回転させることもできる。車両の乗員室内の様子を表示することも可能である。これらの種々の、好ましくは三次元的に表示された画像は通常静止画面に表示される。
【０００５】
従来技術では、製品の型式、特に各製品デザインの選択は入力ユニットを介して行われる。この入力ユニットは、キーボードやマウス操作機器に限定できる。いわゆるタッチスクリーンがデータ入力に用いられる場合が多く、それはタッチスクリーンが扱い易くユーザが楽しんで操作できるからである。それにもかかわらずまたタッチスクリーンを使用するユーザは、自分の車両の全ての形状を決定するために、所定の場所で所定の手順を進めなければならない。
【０００６】
したがって従来のシステムは柔軟性を欠く。更にそのようなシステムでは、少なくともタッチスクリーンを介してコンピュータ操作についてのある程度の訓練を要する。形状指定を行うプログラムを操作するには、少なくともあるレベルの習熟が必要である。また、新車を購入する見込みが最も高い人の年齢は、およそ４６歳であるという事を考慮にいれなければならない。そのような年代の人は、自然にコンピュータを扱い慣れているとは期待できない。形状指定装置のユーザはその年齢に関係なく、デザインの自由が所定のメニューによって限定されていると感じ、そのことがオーダーされる製品の形状決定の楽しみに対してマイナスの影響を与えているのは明らかである。最後に、スクリーン上に表示するだけでは、形状指定工程が終了した際に選択したデザインやそれらの相互作用の効果を十分に体験することができない。この問題は特に、テクスチャーや特定の触感を含んだデザイン要素を選択し互いに組み合わせる場合に当てはまる。
【発明の開示】
【発明が解決しようとする課題】
【０００７】
この点を基本に、本発明の根底にある技術的な課題は、より簡単に操作でき、選択した各製品デザインの効果、特に選択した種々の製品デザインの組み合わせ効果を体験できる、冒頭に記載された種類の形状指定装置を提供することである。更に本発明の目的は、より簡単に操作でき、選択した製品デザインの効果を体験できるような、製品の形状を指定するための方法を提供することである。
【課題を解決するための手段】
【０００８】
装置に関する限り、本発明は上記の課題を解決するための請求項１の特徴を備えた形状指定装置を開示するものである。その包括的な文節によれば、この形状指定装置には認識手段が備えられ、それにより選択できる製品デザインのサンプルが認識できるという点で従来技術とは異なる。この認識手段は、製品デザインを表す製品デザイン信号を検出するようになっている。製品デザイン信号はサンプルと関連している。サンプルが選択されると、製品デザイン信号が同時に決定される。認識手段を介してこの製品デザイン信号がプロセッサに届き、プロセッサは製品デザインメモリから特定の製品デザインを選択して前記製品デザインをスクリーン上に表示する。
【発明の効果】
【０００９】
したがって本発明による形状指定装置には、従来技術とは異なり、各製品デザインが本当のサンプルの形で存在し、それらを組み合わせながら形状決定がなされるという利点がある。各サンプルにより、選択した各製品デザインの効果を体験できる。再び自動車の例を採り上げると、例えばライト反射とメタリックな輝きを備えたメタリック仕上げの塗装仕上げは、単にスクリーン上に表示しただけの場合よりも本物のイメージとしてずっと魅力的に見える。スクリーンは選択した塗装仕上げを表す製品デザイン信号を受け取り、選択した塗装仕上げの三次元的形状で、製品型式をスクリーン上に表示する。しかしながら塗装仕上げの細部については、サンプルをもとに体験できる。
【００１０】
更に本発明は、選択した各製品デザインの相互作用を真に体験できる。例えば、種々の製品デザインに対して各々のサンプルを選択でき、該当するサンプルを並べて、あるいは互いに上下に載せて配置することができる。各サンプルから取り出された製品デザイン信号は認識手段に検出されて全体のイメージを作成し、表示される目的でプロセッサに送られる。作成された色や全体の三次元的効果の相互作用が伝えられるのはスクリーン上の表示がベースとなっているものの、各製品デザインの真の相互作用が、実際に存在するサンプルの相互作用によって実現されるのである。
【００１１】
本発明による形状指定装置により、サンプルを認識するための認識手段をもとに、真の製品デザインの効果を直接体験することができる。このような直接的な体験は、スクリーン上の他のどんな表示よりもはるかに強烈である。このことは、例えば自動車の乗員車室などの種々の製品デザインが互いに組み合わせられる場合（内装材の色、内装材の種類、ケターの色、またおそらく木材の種類や木製嵌め込みの木目）により一層当てはまる。従来技術とは異なり、本発明の形状指定装置はその包括的な文節によれば、サンプルが実際に存在するので、選択した各製品デザインの触感の印象も呈する。したがって本発明の形状指定装置は、後に顧客の望み通りに作成されることになる製品の、ほとんど本物同様のイメージを提供する。本発明の形状指定装置は、実際に存在するサンプルやそれらの質の高い効果をもとに、各製品デザインに対して下さなければならない選択決定について感覚に訴えながら処理する。こうした選択決定はスクリーンを介して直接プロセッサとやり取りする必要がなく、選択した製品デザインの製品を表示するために、該当するサンプルを選択し、それを手にとって認識手段まで持っていけば十分である。したがって本発明の形状指定装置の操作は非常に簡単である。
【発明を実施するための最良の形態】
【００１２】
特定の情報の伝達手段をベースに、明確に限定された製品デザインを認識できるようになされた想像可能なあらゆる手段を認識手段として用いることができる。例えばバーコードの認識手段を設け、各サンプルに対応する固有のバーコードを付与することが考えられる。しかしながら販売心理の観点からすると、製品デザイン信号を読み込むための特別な操作を必要としない認識手段を用いる方が好ましい。したがって認識手段は、サンプルに関連する送信ユニットの製品デザイン信号を受け取るようになされた受信機ユニットを備える方が好ましい。商談においては、一つの製品デザインに対し数多くのサンプルが提供され選択される。送信ユニットと受信機ユニットを適切な方法でコーディネートすることにより、サンプルに関連した製品デザイン信号が、特定のサンプルを選択し前記サンプルを所定の局所的場所に移した後で初めて受信機ユニットに確認されるように保証されるべきである。
【００１３】
請求項３に従った装置の好適な実施例によれば、サンプル上に設けられた送信ユニットは、それ自身の電源を持たずに機能することが可能であるという利点が得られる。したがって送信ユニットはサンプル内に組み込まれることが可能である方が好ましく、なぜならその方が美的印象を出来るだけ損なわないため、好ましい解決策なのである。本発明の更に発展した例に従って送信ユニットがトランスポンダに限定されている場合、保守及び修理作業はトランスポンダには必要ない。
【００１４】
本発明のその他の好適な展開によれば、送信ユニットはプログラム可能である。これにより、送信ユニットをまず各サンプルに連結すれば、好ましくはサンプル内に組み込めばよく、送信ユニットがどのような種類の情報を伝達するかを考慮する必要はないという利点が得られる。更に、形状指定装置が使用される時に初めて必要となるような付加的な情報を持った送信ユニットをプログラムすることもできる。
【００１５】
本発明の形状指定装置のその他の好適な実施例では、それ自体周知でプロセッサに関連するデザイン要素メモリが備えられ、前記デザイン要素メモリには種々の選択可能なデザイン要素が保存されている。これらの様々なデザイン要素はそれぞれ製品デザインメモリ内の異なるデザインと関連している。本明細書の関連で記された例である自動車について言えば、デザイン要素は例えば外装塗装仕上げを指す。このデザイン要素は、可変製品デザインとしてそれに関連する様々な色を備える。デザイン要素メモリは複数の異なる要素を保存しており、それらの要素は、再び自動車を例に採れば、車両の色、内装材、トリムストリップの有無、ハンドルのデザインなどが挙げられる。
【００１６】
本発明の形状指定装置の場合、このデザイン要素メモリもまた選択されたサンプルによりアドレスで呼び出される。このため、選択されたサンプルは関連する要素信号を有しており、それを介して特定のデザイン要素がデザイン要素メモリから選択される。言い換えれば、要素信号はサンプルの「機能」と「場所」を表示し、一方製品デザイン信号はサンプルの「外観」を表示する。選択されたサンプルにより各々アドレスで呼び出された製品デザインメモリとデザイン要素メモリを組み合わせることにより、数個のサンプルを同時に選択し認識手段を介してそれらを読み込むことができる。
【００１７】
各サンプルそれぞれに基づいて、各サンプルの機能（要素信号）及び前記サンプルの外観（製品デザイン信号）が次に検知される。再び自動車の例では、内装材サンプル（テクスチャーと色）、トリムストリップのサンプル、ケターのサンプル及び嵌め込みのサンプルを選択する場合はほとんど完全な車両内装のイメージが得られる。商談の範囲では、それぞれのサンプルに機能を持たせる必要はないだろう。サンプルは「外観」についての情報と「機能」についての情報の両方を備える。
【００１８】
以上から本発明は、形状指定装置のそれ自体は周知である要素を利用して、選択した製品デザインと直接やり取りする形状指定装置を提供することがわかる。製品デザインの材質や正確な効果、特にテクスチャーや触感が真に体験できる。全体の視覚的な印象は、従来技術と全く同様に、選択した製品デザインが実行されている間に一つあるいは複数のスクリーンを介して作成される。形状指定装置を利用する顧客や製品の発注者はスクリーン及び／またはキーボードを介してプロセッサとのやり取りを強要されない。そのようなやり取りは専ら選択したサンプルを通して行われる。本発明の形状指定装置により、製品、例えば自動車の形状指定についてこれまで知られていないような方法で体験できる。顧客は材料の選択のみに関わっていればよく、現実の世界で材料の相互作用を体験する。顧客は完全に自由にデザインでき、自分の選択の入力や自分の選択段階の時間経過的な順序に対して制約を受けない。顧客は製品の形状指定を、プロセッサとの直接的ないかなるやり取りからも開放された事柄として体験する。また顧客をアシストする販売員は自分の注意を顧客や商談に十分集中させることができ、プロセッサへのデータ入力に注力する必要がない。
【００１９】
更に、この形状指定装置は完全に直覚的である。顧客はサンプルを手に取って所定の場所にサンプルを配置するだけでよい。顧客は任意の数の異なる製品デザインを、それぞれサンプルの形で組み合わせ、こうした方法であらゆる製品デザインを得ることが可能である。特にデザイン要素メモリが実行される場合は、顧客は各々の製品デザインを全く自由に連続して選択することができる。
【００２０】
本発明の形状指定装置はもちろん、製品の型式を表し認識手段に認識されるサンプルによりアドレスで呼び出される製品型式メモリを備えてもよい。自動車など例えば非常に複雑な製品も、それに含まれる最も自由に選択できそうにないような装置の特徴に至るまで形状を指摘される限り、サンプルだけを用いて形状指定装置をコントロールすることが容易に想像できる。
【００２１】
上記に記載された課題を方法面で解決するために本発明は、製品の周知の型式をスクリーン上にそれ自体周知の方法で表示し、少なくとも一つの製品デザインを選択し、また製品の表示された型式を選択された製品デザインでスクリーン上にディスプレイする工程を含む、製品の形状指定のための形状指定方法を故に提案する。しかしながら本発明の方法は、製品デザインがプロセッサ内で処理された信号を介して決定され、前記信号が該当する製品デザインの選択された本物のサンプルと関連しているという点において、従来技術とは異なる。
【国際公開パンフレット】
2004534325.tif 000002
2004534325.tif 000003
2004534325.tif 000004
2004534325.tif 000005
2004534325.tif 000006
2004534325.tif 000007
2004534325.tif 000008
2004534325.tif 000009
2004534325.tif 000010
2004534325.tif 000011
【手続補正書】
【提出日】平成15年7月16日(2003.7.16)
【手続補正１】
【補正対象書類名】特許請求の範囲
【補正対象項目名】全文
【補正方法】変更
【補正の内容】
【特許請求の範囲】
【請求項１】
製品の一つの型式の外観を表す少なくとも一つのデータ記録を保存する関連する製品型式メモリと、製品の一つの型式に関する複数の異なる製品デザインを表すデータを保存する関連する製品デザインメモリとを有するプロセッサと、
製品の型式及び／または製品デザインを選択するための入力ユニットと、
所定のあるいは選択された製品の型式を選択された前記製品デザインでディスプレイするためのスクリーンと
選択可能な前記製品デザインの選択されたサンプルを認識するための認識手段とを備え、前記認識手段が前記製品デザインを表す製品デザイン信号を検出し、それにより前記サンプルに対応する特定の製品デザインが前記製品デザインメモリから選択される、製品の形状を指定するための形状指定装置であり、
前記認識手段が前記選択されたサンプルに関連する送信ユニットの前記製品デザイン信号を受け取るようになされた受信機ユニットを備え、また前記形状指定装置のユーザに提示される複数のサンプルから選択された前記サンプルの前記製品デザイン信号は、前記選択されたサンプルが前記ユーザの手の届く範囲内の所定の局所的場所に移されて初めて前記受信機ユニットにより検出されるように、前記送信ユニットと前記受信機ユニットが互いに適合されたことを特徴とする形状指定装置。
【請求項２】
前記受信機ユニットが受信機プレートを備え、前記送信ユニットが前記受信機プレートにより供給されるエネルギを介して前記製品デザイン信号を送信するトランスポンダにより定義されることを特徴とする請求項１に記載の形状指定装置。
【請求項３】
前記送信ユニットがプログラムされるようになされた請求項１または２に記載の形状指定装置。
【請求項４】
前記プロセッサに関連し、種々の選択可能なデザイン要素を保存するデザイン要素メモリを備え、前記デザイン要素の各々が前記製品デザインメモリ内にある関連する種々のデザインを有する形状指定装置であって、前記サンプルが前記デザイン要素を表す関連する要素信号を有し、それにより特定のデザイン要素が前記デザイン要素メモリから選択されることを特徴とする請求項１から３のいずれか１項に記載の形状指定装置。
【国際調査報告】
2004534325.tif 000012
2004534325.tif 000013
2004534325.tif 000014
2004534325.tif 000015